(57)【要約】【課題】簡単且つ安価なコネクタ抜け防止具【解決手段】前記コネクタ栓の筒状の接栓収容部の外周には，第１の係止部が，前記コネクタ座とケースの側面との取付部には第２の係止部が形成され，前記止具は，少なくとも一端を開口して，前記第１の係止部及び第２の係止部に嵌合するように，該係止部に対向する位置の前記開口部を切欠いて形成された凹部と，前記開口部の周縁に形成した固着手段とを備えた第１の止具と，前記コネクタ栓と前記コネクタ座を挟んで前記第１の止具とは反対方向に，前記第１と同様の構成をした第２の止具と，からなり，前記コネクタ栓と前記コネクタ座とを接続した状態において，止具は凹部によって係止部を挟み込んで着脱自在に固着できる。また前記止具を取付けた状態において，前記コネクタ栓の回転方向に対しては回転自在に，前記コネクタ栓が前記コネクタ座から抜ける方向に対しては抜けを防止となるように嵌合させた。【選択図】  図１
2006120451.tif 000002
【特許請求の範囲】
【請求項１】
対象機器のケースの側面に取付けられたコネクタ座と，当該コネクタ座に接続されてなるコネクタ栓と，の接続状態において取付けられて、一方のコネクタが他方のコネクタから抜けるのを防止するコネクタ抜け防止具において，
前記コネクタ栓に具備された前記コネクタ座に嵌挿される筒状の接栓収容部の外周には，第１の係止部が形成され，
前記コネクタ座とケースの側面との取付部には第２の係止部が形成され，
前記止具は，少なくとも一端を開口して，前記第１の係止部及び第２の係止部に嵌合するように，該係止部に対向する位置の前記開口部を切欠いて形成された凹部と，前記開口部の周縁に形成した第１の固着手段とを備えた第１の止具と，前記コネクタ栓と前記コネクタ座を挟んで前記第１の止具とは反対方向に配置され，少なくとも一端を開口して，前記第１の止具に備えた凹部が係止する位置とは反対側の前記第１の係止部及び第２の係止部に嵌合するように，該係止部に対向する位置の前記開口部を切欠いて形成された凹部と，前記第１の止具の周縁に形成した第１の係止手段と対向する位置に形成され，前記第１の固着手段と嵌合係止するように形成した第２の固着手段と，を備えた第２の止具と，からなり，
前記コネクタ栓と前記コネクタ座とを接続した状態において，前記第１の止具と第２の止具とは，相互に対向配置させた凹部によって前記第１の係止部と第２の係止部を挟み込んで着脱自在に固着できるように構成されると共に，前記第１の止具及び第２の止具を取付けた状態において，前記コネクタ栓の回転方向に対しては回転自在に，前記コネクタ栓が前記コネクタ座から抜ける方向に対しては抜けを防止となるように嵌合させたことを特徴としたコネクタ抜け防止具。
【請求項２】
前記コネクタ座及び前記コネクタ栓が同軸Ｆ型で構成されたテレビ共同受信機用に用いられたことを特徴とした請求項１に記載のコネクタ抜け防止具。
【発明の詳細な説明】
【技術分野】
【０００１】
本発明は，主にテレビ共同共同受信機器に利用される同軸コネクタの接続において，一方のコネクタが他方のコネクタから抜けるのを防止するの抜け防止に関し，詳しくはそのコネクタの抜け防止具の構造に関する。
【背景技術】
【０００２】
従来，テレビ共同受信用機器のコネクタは，コネクタ栓には同軸ケーブルの編組導体と接続されるケーブル連結部と，当該ケーブル連結部の基端部に軸方向に移動可能に且つ円周方向に回転可能に枢着したリング状係合部と，前記ケーブル連結部と前記係合部との間の弾性緩衝作用を行う弾性部材とを有し，前記係合部には端面近傍の内方に突設させた係止片を備え，
コネクタ座には，該コネクタ座の周面に形成されたねじ面に設けた導入部，誘導部及び係止部の一連からなる溝を形成して，この溝に前記コネクタ栓に形成された係止片を係合させて接続する構成となっていたので，この同軸コネクタ栓は前記リング状係合部を回転操作するだけでコネクタ座に接続でき，しかも強固に取付けできた。また，前記ケーブル連結部と係合部との間に設けた弾性部材による弾性緩衝作用によって円滑に脱着操作が行える構成となっていた。
（例えば，特許文献１参照）
【０００３】
【特許文献１】特許３０３４５３４号公報
【発明の開示】
【発明が解決しようとする課題】
【０００４】
しかし，従来の同軸コネクタ栓によると，リング状係合部の端面の内方に係止片を設けたことにより，この同軸コネクタ栓は取付けられるコネクタ座に係止用の溝が形成された専用のコネクタ座でないと取付けができないことになり，前記コネクタ座は他の構成の同軸コネクタ栓を受け入れることが出来る汎用性を有していても，当該同軸コネクタ座に摺動固着させることができる一般的にあるコネクタ栓を取付けた場合は，取付け強度が落ちるといった問題が生じる。
また，この実施例に示す同軸コネクタは係止片を有するため，前記コネクタ座と一対一で使用する必要があり汎用性の点で問題があった。
また，接続の操作性の向上と，接続後の取付け強度向上のために備えられた弾性部材は，止リングによって保持された皿ばねや，コネクタ座の先端面に当接する菊型ばねと言った複数の構成部品から構成されているので，構造が複雑になると共に，延いては製品のコストアップになるといった問題があった。
そこで本願においては，こうした問題点を解決するためになされたものであり，
その目的は，簡単且つ安価にコネクタの抜け防止を行うことができるコネクタ抜け防止具を提供することにある。
他の目的は，簡単且つ安価であっても固着力の優れた接続を行うことのできる同軸コネクタの抜け防止具を提供することにある。
他の目的は，同軸ケーブルを引っ張っても抜け難い同軸コネクタを提供するための止具を提供することにある。
他の目的は，テレビ共同受信工事における設置工事が簡単に行うことができる同軸コネクタの抜け防止具を提供することにある。
【課題を解決するための手段】
【０００５】
上記課題を解決するために，請求項１の発明は，対象機器のケースの側面に取付けられたコネクタ座と，当該コネクタ座に接続されてなるコネクタ栓と，の接続状態において取付けられて、一方のコネクタが他方のコネクタから抜けるのを防止するコネクタ抜け防止具において，
前記コネクタ栓に具備された前記コネクタ座に嵌挿される筒状の接栓収容部の外周には，第１の係止部が形成され，前記コネクタ座とケースの側面との取付部には第２の係止部が形成され，前記止具は，少なくとも一端を開口して，前記第１の係止部及び第２の係止部に嵌合するように，該係止部に対向する位置の前記開口部を切欠いて形成された凹部と，前記開口部の周縁に形成した第１の固着手段とを備えた第１の止具と，前記コネクタ栓と前記コネクタ座を挟んで前記第１の止具とは反対方向に配置され，少なくとも一端を開口して，前記第１の止具に備えた凹部が係止する位置とは反対側の前記第１の係止部及び第２の係止部に嵌合するように，該係止部に対向する位置の前記開口部を切欠いて形成された凹部と，前記第１の止具の周縁に形成した第１の係止手段と対向する位置に形成され，前記第１の固着手段と嵌合係止するように形成した第２の固着手段と，を備えた第２の止具と，からなり，前記コネクタ栓と前記コネクタ座とを接続した状態において，前記第１の止具と第２の止具とは，相互に対向配置させた凹部によって前記第１の係止部と第２の係止部を挟み込んで着脱自在に固着できるように構成されると共に，前記第１の止具及び第２の止具を取付けた状態において，前記コネクタ栓の回転方向に対しては回転自在に，前記コネクタ栓が前記コネクタ座から抜ける方向に対しては抜けを防止となるように嵌合させるように構成される。
【０００６】
請求項２の発明は，請求項１に記載のコネクタ抜け防止具を前記コネクタ座及び前記コネクタ栓が同軸Ｆ型で構成されたテレビ共同受信機用に用いるように構成される。
【発明の効果】
【０００７】
請求項１の発明によれば，対象機器のケースの側面に取付けられたコネクタ座と，当該コネクタ座に接続されてなるコネクタ栓と，の接続状態において取付けられて、一方のコネクタが他方のコネクタから抜けるのを防止するコネクタ抜け防止具において，
前記コネクタ栓に具備された前記コネクタ座に嵌挿される筒状の接栓収容部の外周には，第１の係止部が形成され，前記コネクタ座とケースの側面との取付部には第２の係止部が形成され，前記止具は，少なくとも一端を開口して，前記第１の係止部及び第２の係止部に嵌合するように，該係止部に対向する位置の前記開口部を切欠いて形成された凹部と，前記開口部の周縁に形成した第１の固着手段とを備えた第１の止具と，前記コネクタ栓と前記コネクタ座を挟んで前記第１の止具とは反対方向に配置され，少なくとも一端を開口して，前記第１の止具に備えた凹部が係止する位置とは反対側の前記第１の係止部及び第２の係止部に嵌合するように，該係止部に対向する位置の前記開口部を切欠いて形成された凹部と，前記第１の止具の周縁に形成した第１の係止手段と対向する位置に形成され，前記第１の固着手段と嵌合係止するように形成した第２の固着手段と，を備えた第２の止具と，からなり，前記コネクタ栓と前記コネクタ座とを接続した状態において，前記第１の止具と第２の止具とは，相互に対向配置させた凹部によって前記第１の係止部と第２の係止部を挟み込んで着脱自在に固着できるように構成されると共に，前記第１の止具及び第２の止具を取付けた状態において，前記コネクタ栓の回転方向に対しては回転自在に，前記コネクタ栓が前記コネクタ座から抜ける方向に対しては抜けを防止となるように嵌合させるように構成したので，
コネクタに複雑な機構や，精度の要する部品等を付加することなく，コネクタ同士を摺動固着して接続するようなコネクタ接続においても，簡単且つ安価な構造の，一方のコネクタが他方のコネクタから抜けることを防止するコネクタ抜け防止具を提供できる。
また，コネクタ栓とコネクタ座とを螺合させて接続するような場合であっても，コネクタ同士の接続の緩み防止にも利用できるコネクタ抜け防止具を提供できる。
【０００８】
請求項２の発明によれば，請求項２の発明は，請求項１に記載のコネクタ抜け防止具を前記コネクタ座及び前記コネクタ栓が同軸Ｆ型で構成されたテレビ共同受信機用に用いるように構成したので，
例えば分配器に代表されるコネクタ座を有するテレビ共同受信機器を，天井等の設置工事のやりにくい場所に設置する場合の従来例のような，分配器等を天井等に設置してから，所定ケーブルに加工されてコネクタ栓が取付けられた同軸ケーブルを，前記分配器のコネクタ座に接続するの方法において，通常の共同受信工事の場合は，接続の信頼性を高めるためにコネクタ栓とコネクタ座とは雌螺子と雄螺子を螺合させて固着するように構成されたものを用い，例えば脚立や足場に乗った不安定な状態で上を向きながら，同軸ケーブルを設置場所の形状に合わせてから，レンチ等を用いてコネクタ栓をコネクタ座に固着する必要があり危険で作業性の悪いものであったが，本願の止具を用いることによって，コネクタ栓とコネクタ座とが摺動固着によって摺動固着される取付け性の容易なコネクタであっても，予め同軸ケーブルの接続を，工事が簡単で且つ安全に行える床面等で行った後に，本願の止具を取付けておくことによって，コネクタ栓はコネクタ座に対して回転方向には回転自在に，抜け方向に対しては抜けないように固着されることから，同軸ケーブルの取付け後に分配器を天井等に設置するだけでよく，設置工事が簡単且つ安全にすることができると共に，信頼性の高い共同受信用の配線システムを提供できるのである。
【発明を実施するための最良の形態】
【０００９】
以下に，本発明を具体化した実施形態の例を，図面を基に詳細に説明する。
図１は本願に係るコネクタ抜け防止具の実施形態を示す斜視図であり，図２は図１に示す実施形態の一部を破断した側面図である。図３（ａ），（ｂ）はコネクタ栓の係止部の形状を示す実施例である。図４は共同受信機器の配線システムの一例を示したものである。
【実施例１】
【００１０】
図１を基に本願のコネクタ抜け防止具５０について説明する。尚，本願の実施例については説明を簡単に行うために，本願のコネクタ抜け防止具５０を利用するのに好適な例として，共同受信機器における分配器１を基に説明し，これに対応したコネクタ抜け防止具５０は第１の止具５１，５３と第２の止具５２，５３とから成る。
本願の実施例では分配器１は２分配器であり，入力端子ＩＮに入力された信号を２つの出力端子ＯＵＴ１，ＯＵＴ２から分配されて出力される。この分配回路は金属材料を金型で成型したケース２に収納されている。
入力端子ＩＮ及び出力端子ＯＵＴ１，ＯＵＴ２は，請求項に示すコネクタ座であり，本願の実施例では前記ケース２の側面に取付けられた同軸Ｆ型コネクタ栓であり，夫々の端子の周面には雄螺子が形成されており，前記コネクタ座の内周面に雌螺子を形成したコネクタ栓であっても取付けることができるように構成されている。
また，前記コネクタ栓ＩＮ，ＯＵＴ１，ＯＵＴ２の周面であって，該コネクタ栓とケース２との取付部分の近傍には，夫々鍔部２１ａ，２２ａ，２３ａが形成されており，該鍔部とコネクタ栓を取付けたケースの側面とがなす周面に形成される各凹部２１，２２，２３は請求孔に示す第２の係止部を形成している。
【００１１】
３，３，・・・は略中央部に透孔３ａ，３ａ，・・・を備えた係止爪であり，前記透孔に図示されていない木ネジ等を挿通させて，該木ネジを取付け対象に螺着させることによって前記分配器１を固定するためのものである。
５はケース２の周面に一体的に形成された接続部であり，本願の実施例ではケース２の側面に凹部を形成したものであり所定数備えられている。６は分配器１の型式や電気的特性等を表示するための銘板であり，ケース２の上面に粘着テープ等で固着されている。
【００１２】
７，８，９は先端部に同軸Ｆ型コネクタ栓を取付けた同軸ケーブルである。本願の実施例に示すこの同軸Ｆ型コネクタ栓は，前記同軸Ｆ型コネクタ座ＩＮ，ＯＵＴ１，ＯＵＴ２に嵌挿される筒状の接栓収容部７ａ（図示されていない），８ａ，９ａと，スリーブ７ｂ，８ｂ，９ｂとから成る。この前記接栓収容部７ａ，８ａ，９ａは金属材料を成型したものであり，本願の実施例では前記同軸Ｆ型コネクタ座に摺動固着できるようバネ性を備えさせてある。尚，取付け性を向上させるために前記接栓収容部の内周に弾性部材からなるバネ材を備えさせても良い。また，前記接栓収容部７ａ，８ａ，９ａの外周の先端部近傍には請求孔に示す第１の係止部１７（図示されていない），１８，１９が周面から外方向に突出するように一体的に形成されている。
この係止部の具体的実施例について同軸ケーブル８を代表に用いて図３に示す。（ａ）は接栓収容部の周面から凸部を突設したものであり，（ｂ）は接栓収容部の周面に凹部を形成したものである。
【００１３】
次に，コネクタ抜け防止具５０について図１，２を用いて説明する。本願に実施例においてはコネクタ抜け防止具５０は第１の止具５１，５３と第２の止具５２，５３とから成り，本願の実施例では合成樹脂材を用いて金型成型したものである。
これらの止具は図に示すように一端を開口させた箱状に形成されており，該コネクタ抜け防止具５０の夫々の内部には収納空間が備えられている。
５１ａ・５１ｂ，５２ａ・５２ｂ，５３ａ，５４ａは各コネクタ抜け防止具の開口端を切欠いて形成した凹部であり，前記第１の止具５１と第２の止具５２，前記第１の止具５３と第２の止具５４とを夫々対向させて配置したときに，該凹部５１ａ・５１ｂと５２ａ・５２ｂ，５３ａと５４ａは対向配置される位置に形成されている。
【００１４】
ここでコネクタ抜け防止具５０について更に詳細に説明する。これらのコネクタ抜け防止具である第１の止具５１・５２及び第２の止具５３・５４は，夫々前記ケース２の側面とコネクタ座に形成された前記鍔部２１ａ，２２ａ，２３ａの側面との間に形成される凹部である第２の係止部２１，２２，２３と，前記コネクタ栓に形成された前記第１の係止部１７，１８，１９の側面とを挟んで上下方向に対向して配置される。
即ち，第１の止具と第２の止具とを取付けたときに，前記凹部５１ａ・５１ｂと５２ａ・５２ｂ，５３ａと５４ａが対向配置されると共に，これらの凹部の一方側における周縁内側面が前記第２の係止部の鍔部２１ａ，２２ａ，２３ａの側面側に当接し，前記凹部の他方側における周縁内側面が前記第１の係止部である凸部１７，１８，１９の側面側と当接するように形成されている。
【００１５】
１５はコネクタ抜け防止具５１，５３及びコネクタ抜け防止具５２，５４に一体的に形成された固着手段であり，該コネクタ抜け防止具５１，５３を前記コネクタ抜け防止具５２，５４に取付けたときに夫々を着脱自在に固着するためのもので，この実施例においては，コネクタ抜け防止具５１，５３の開口端から下方向に延設した延設部１５ａの先端部にコネクタ抜け防止具５１，５３の内方向に突設させた凸部１５ｂと，コネクタ抜け防止具５２，５４の内周面であって，前記コネクタ抜け防止具５１，５３に形成した凸部１５ｂ，１５ｂ，・・・に対抗する位置に形成された接続部１５ｃ，１５ｃ，・・・とからなる。
尚，この実施例に限定されるものではなく，固着手段を上下とも同じ構造に形成して，相互に着脱自在に固着できるように形成できれば作業性の良い止具にできる。
【００１６】
このように構成されたコネクタ抜け防止具５０の取付方法及び効果について図２を用いて詳細に説明する。
図２は分配器１にコネクタ抜け防止具５０を取付けたときの一部を破断した側面図である。
分配器１には，本願の実施例に示す同軸Ｆ型コネクタ栓を備えた同軸ケーブル７，８，９を接続する。その後コネクタ抜け防止具５１，５３を上面方向から，コネクタ抜け防止具５２，５４を下面方向から取付ける。このとき前記固着手段１５の凸部１５ｂと凸部１５ｃとが相互に嵌合することによって前記コネクタ抜け防止具５１と５２，５３と５４とは着脱自在に固着される。
【００１７】
この状態において，コネクタ抜け防止具５０に形成した凹部の幅は，前記接栓収容部７ａ，８ａ，９ａが上下方向（所謂，ケースの取付け方向に）に対し挿通可能であり，前記第２の係止部２１，２２，２３の凹部の底面がなす周径が上下方向（所謂，ケースの取付け方向に）に対しも挿通可能なように，それらの周径よりやや大きく形成されている。
また，前記コネクタ抜け防止具５０に形成された凹部の一方側における周縁内側面が前記第２の係止部の鍔部２１ａ，２２ａ，２３ａの側面側に当接することで抜けないような幅に形成されており，前記コネクタ抜け防止具５０はケース２に対してコネクタ座の軸線方向の動きを制限する。
更にコネクタ抜け防止具５０から前記接栓収容部部７ａ，８ａ，９ａが抜ける方向に対しては，前記コネクタ抜け防止具５０の凹部の他方側における周縁内側面が，前記接栓収容部に形成された第１の係止部１７，１８，１９の側面における半周若しくは一部分が当接するように形成されることによって引き抜け方の力を吸収する。このように前記コネクタ抜け防止具５０によってケースに固定されたコネクタ座とコネクタ栓とが挟み込み固定されることによって，同軸ケーブルのＦ型コネクタ座は該Ｆ型コネクタ座の回転方向には回転自在に，引き抜け方向には引き抜けないように接続されるのである。
【００１８】
この様に構成された分配器１及びコネクタ抜け防止具１０を用いたテレビ共同受信システムの配線例について図４を用いて説明する。
この実施例では例えばアンテナからの引込み線３２に分配器１を介し，信号を２分配して引き込む例を示している。一般的に分配器１は図に示す軒下３１や天井等に設置する場合が多い。このような設置工事のやりにくい場所に設置する場合の従来の施工方法は，分配器１等を天井等に設置してから，コネクタ栓が取付けられ所定ケーブル長に加工された同軸ケーブル３３，３４等を，前記分配器１のコネクタ座に接続するのであるが，通常の共同受信工事の場合は，接続の信頼性を高めるためにケース２に備えたコネクタ栓と同軸Ｆ型コネクタ座とは，雌螺子と雄螺子を螺合させて固着するように構成されたものを用い，例えば脚立４０や足場に乗った不安定な状態で上を向きながら，同軸ケーブル３１，３２，３３を設置場所の形状に合わせてから，クランプ等の周知の方法でもって取付け面に固定してから，コネクタ栓をレンチ等によってコネクタ座に固着する必要があり，危険で作業性の悪い作業が必要であった。
【００１９】
したがって作業の簡略化のために，例えば施工のやり易い床面等で同軸ケーブルを予め固着したとすると，分配器１を天井等に持ち上げるときに分配器１を上下反対にして取付け面を軒下の設置面に対向させるようにする必要があり，このときにコネクタ栓がコネクタ座に強固に固着されていることによって，同軸ケーブルが捩れたり，コネクタ栓の取付部に負荷が加わったり，コネクタ栓が緩んでしまうといった問題があった。また，分配器を予め逆さにしておいて同軸ケーブルを接続する方法も考えられるのであるが，この場合は，銘板が下向きとなったり，端子の識別表示が見えなくなったりして，接続する端子の確認がやりにくいばかりでなく，最悪の場合，誤配線をしてしまうといった問題も有った。
【００２０】
これに対して本願のコネクタ抜け防止具５０を用いることによって，コネクタ栓とコネクタ座とが摺動固着によって摺動固着される取付け性の容易なコネクタであっても，簡単且つ安全であって短時間にコネクタ座からコネクタ栓が外れることがないのない信頼性の高いコネクタ抜け防止具を備えた共同受信機器を提供できる。
また予め同軸ケーブルの接続を，工事が簡単で且つ安全に行える床面等で行った後に，本願のコネクタ抜け防止具５０を取付けることによって，コネクタ栓はコネクタ座に対して回転方向には回転自在に，抜け方向に対しては抜けないように固着されることから，同軸ケーブルの取付け後に分配器を軒下３１等に設置するだけでよく，設置工事が簡単且つ安全に短時間に行うことができると共に，コネクタ栓がコネクタ座から抜け難い信頼性の良い共同受信機器の配線システムが提供できるのである。
尚，本発明は上記実施の形態に限定されるものではなく，本発明の趣旨を逸脱しない範囲で各部の構成を適宜に変更して実施することも可能である。
【図面の簡単な説明】
【００２１】
【図１】本願に係るコネクタ抜け防止具の実施形態を示す斜視図である。
【図２】図１に示す実施形態の一部を破断した側面図である。
【図３】（ａ）コネクタ栓の係止部の形状を示す実施例であり。（ｂ）はコネクタ栓の係止部の異なる形状を示す実施例である。
【図４】共同受信機器の配線システムの一方法を示したものである。
【符号の説明】
【００２２】
１…分配器，２…ケース，３…係止爪，３ａ…透孔，４…，５…接続部，６…銘板，７・８・９…同軸ケーブル，７ａ・８ａ・９ａ…接栓収容部，７ｂ・８ｂ・９ｂ…スリーブ，１５…固着手段，１５ａ…延設部，１５ｂ…凸部，１５ｃ…凸部，１７・１８・１９…係止部，２１・２２・２３…収容部，２１ａ・２２ａ・２３ａ…鍔部，３０…建築物，３１…軒下（設置面），３２・３３・３４…同軸ケーブル，４０…脚立，５０…コネクタ抜け防止具，５１・５３…第１の止具，５２・５４…第２の止具，５１ａ・５１ｂ・５２ａ・５３ａ・５２ｂ・・５４ａ…凹部
【図１】
2006120451.tif 000003
【図２】
2006120451.tif 000004
【図３】
2006120451.tif 000005
【図４】
2006120451.tif 000006